(57)【要約】      （修正有）【課題】端末装置よりインターネット通信網を介して、スポーツの動画像情報の取得要求を受け、前記端末装置へ情報取得要求を受けた動画像情報を伝達する方法および装置。【解決手段】スポーツ動画情報を発生するステップと、スポーツ動画情報場面に対応し場面識別情報を発生するステップと、スポーツ動画情報から場面識別情報に対応しかつ場面識別情報における結果プレイを表現する結果プレイ動画情報を抽出するステップと、場面識別情報と対応して前記結果プレイ動画情報を記憶するステップと、端末装置から端末識別子と動画取得要求ＵＲＬアドレスあるいは動画取得要求メールアドレスを含む情報取得要求を受信するステップと、場面識別情報と対応する結果プレイ動画情報の記憶から情報取得要求に対応する場面識別情報の結果プレイ動画情報を読み出し動画送信情報を生成するステップと、端末識別子の端末装置へ動画送信情報を送信するステップを含む。【選択図】  図２
2007049662.tif 000002
【特許請求の範囲】
【請求項１】
端末装置よりインターネット通信網を介して、要約したスポーツの動画像情報の情報取得要求を受け、前記端末装置へ情報取得要求に対応する要約した動画像情報を伝達する方法において、スポーツの動画像情報を発生するステップと、前記スポーツの動画像情報から所定の結果プレイを表現する結果プレイ動画像情報を抽出するステップと、前記結果プレイ動画像情報を記憶するステップと、端末装置から端末識別子と動画像取得要求ＵＲＬアドレスあるいは動画像取得要求メールアドレスからなる情報取得要求を受信するステップと、情報取得要求を受け前記結果プレイ動画像情報を読み出し動画像送信情報を生成するステップと、前記端末識別子の端末装置へ前記動画像送信情報を送信するステップを含むことを特徴とする。
【請求項２】
端末装置よりインターネット通信網を介して、要約したスポーツの動画像情報の情報取得要求を受け、前記端末装置へ情報取得要求に対応する要約した動画像情報を伝達する方法において、端末識別子に対応してスポーツの試合識別子を予約記憶するステップと、予約記憶された前記試合識別子のスポーツの動画像情報を発生するステップと、前記スポーツの動画像情報から所定の結果プレイを表現する結果プレイ動画像情報を抽出するステップと、前記端末識別子と対応して前記結果プレイ動画像情報を記憶するステップと、端末装置から端末識別子と動画像取得要求ＵＲＬアドレスあるいは動画像取得要求メールアドレスからなる情報取得要求を受信するステップと、情報取得要求を受け前記端末識別子と対応する前記結果プレイ動画像情報を読み出し動画像送信情報を生成するステップと、前記端末識別子の端末装置へ前記動画像送信情報を送信するステップを含むことを特徴とする。
【請求項３】
端末装置よりインターネット通信網を介して、要約したスポーツの動画像情報の情報取得要求を受け、前記端末装置へ情報取得要求に対応する要約した動画像情報を伝達する方法において、スポーツの動画像情報を発生するステップと、前記スポーツの動画像情報の場面に対応し場面識別情報を発生するステップと、前記スポーツの動画像情報から前記場面識別情報に対応しかつ前記場面識別情報における結果プレイを表現する結果プレイ動画像情報を抽出するステップと、前記場面識別情報と対応して前記結果プレイ動画像情報を記憶するステップと、端末装置から端末識別子と動画像取得要求ＵＲＬアドレスあるいは動画像取得要求メールアドレスを含む情報取得要求を受信するステップと、場面識別情報と対応する結果プレイ動画像情報の記憶から前記情報取得要求に対応する場面識別情報の結果プレイ動画像情報を読み出し動画像送信情報を生成するステップと、前記端末識別子の端末装置へ前記動画像送信情報を送信するステップを含むことを特徴とする。
【請求項４】
端末装置よりインターネット通信網を介して、要約したスポーツの動画像情報の情報取得要求を受け、前記端末装置へ情報取得要求に対応する要約した動画像情報を伝達する方法において、端末識別子に対応してスポーツの試合識別子を予約記憶するステップと、予約記憶された前記試合識別子のスポーツの動画像情報を発生するステップと、前記スポーツの動画像情報の場面に対応し場面識別情報を発生するステップと、前記スポーツの動画像情報から前記場面識別情報に対応しかつ前記場面識別情報における結果プレイを表現する結果プレイ動画像情報を抽出するステップと、前記端末識別子と前記場面識別情報に対応して前記結果プレイ動画像情報を記憶するステップと、端末装置から端末識別子と動画像取得要求ＵＲＬアドレスあるいは動画像取得要求メールアドレスを含む情報取得要求を受信するステップと、端末識別子と場面識別情報に対応する結果プレイ動画像情報の記憶から前記端末識別子に対応しかつ前記情報取得要求に対応する場面識別情報の結果プレイ動画像情報を読み出し動画像送信情報を生成するステップと、前記端末識別子の端末装置へ前記動画像送信情報を送信するステップを含むことを特徴とする。
【請求項５】
端末装置よりインターネット通信網を介して、要約したスポーツの動画像情報の情報取得要求を受け、前記端末装置へ情報取得要求に対応する要約した動画像情報を伝達する方法において、スポーツの動画像情報を発生するステップと、前記スポーツの動画像情報の場面に対応し場面識別情報を発生するステップと、前記スポーツの動画像情報から前記場面識別情報に対応しかつ前記場面識別情報における結果プレイを表現する結果プレイ動画像情報を抽出するステップと、場面識別情報を画像表示で分かるように文字記号画像表示変換し場面識別画像情報を出力するステップと、場面識別画像情報と結果プレイ動画像情報を組合わせ組合わせ結果プレイ動画像情報を発生するステップと、前記場面識別情報と対応して前記組合わせ結果プレイ動画像情報を記憶するステップと、端末装置から端末識別子と動画像取得要求ＵＲＬアドレスあるいは動画像取得要求メールアドレスを含む情報取得要求を受信するステップと、前記場面識別情報と対応する組合わせ結果プレイ動画像情報の記憶から情報取得要求に対応する場面識別情報の組合わせ結果プレイ動画像情報を読み出し動画像送信情報を生成するステップと、前記端末識別子の端末装置へ前記動画像送信情報を送信するステップを含むことを特徴とする。
【請求項６】
請求項１、請求項２、請求項３、請求項４、請求項５において、結果プレイ動画像情報を抽出するステップは、場面あるいは場面識別情報に対応したプレイ動作のプレイ開始タイミングでプレイ開始タイミング信号を、プレイ動作の結果が判明する結果プレイ終了タイミングで結果プレイ終了タイミング信号を発生し、スポーツの動画像情報のプレイ開始タイミング信号から結果プレイ終了タイミング信号までを場面あるいは場面識別情報に対応した結果プレイ動画像情報として抽出ことを特徴とする。
【請求項７】
請求項３、請求項４、請求項５、請求項６において、場面識別情報は、動画像情報を自動画像認識処理し発生することを特徴とする。
【請求項８】
請求項６において、場面あるいは場面識別情報に対応したプレイ動作のプレイ開始タイミングでプレイ開始タイミング信号の発生、および、プレイ動作の結果が判明する結果プレイ終了タイミングで結果プレイ終了タイミング信号を発生は、動画像情報を自動画像認識処理し発生することを特徴とする。
【請求項９】
請求項１、請求項２、請求項３、請求項４、請求項５において、場面あるいは場面識別情報に対応した結果プレイ動画像情報の抽出は、場面あるいは場面識別情報に対応したプレイ動作の結果が判明するプレイ結果判明時点を結果プレイ終了タイミングとし、結果プレイ終了タイミングからプレイを表現するに十分な所定時間前へさかのぼった時点あるいは結果プレイ終了タイミングからさかのぼって最も近いプレイ開始時点を開始タイミングとし、開始タイミングから結果プレイ終了タイミングまでの期間のスポーツの動画像情報を結果プレイ動画像情報として抽出することを特徴とする。
【請求項１０】
請求項３、請求項４、請求項５、請求項６、請求項７、請求項８において、スポーツは野球であり、かつ、場面識別情報は、チャンス場面の有無、あるいは、結果得点の有無、あるいは、結果ヒットの有無、結果ホームランの有無、あるいは、打席の選手識別子を含むことを特徴とする。
【請求項１１】
請求項３、請求項４、請求項５、請求項６、請求項７、請求項８において、スポーツはサッカーであり、かつ、場面識別情報は、チャンス場面の有無、あるいは、結果得点の有無、あるいは、結果スーパープレイの有無、あるいは、プレイする選手識別子を含むことを特徴とする。
【請求項１２】
請求項３、請求項４、請求項５、請求項６、請求項７、請求項８において、スポーツは個人戦あるいはダブルスペア戦であり、かつ、場面識別情報は、結果スーパープレイの有無あるいはプレイする選手識別子を含むことを特徴とする。
【請求項１３】
端末装置よりインターネット通信網を介して、要約したスポーツの動画像情報の情報取得要求を受け、前記端末装置へ情報取得要求に対応する要約した動画像情報を伝達する装置において、所定のスポーツの動画像情報を出力するスポーツ動画像発生手段と、前記スポーツの動画像情報の場面に対応し場面識別情報を発生する場面識別情報発生手段と、場面識別情報に対応したプレイ動作のプレイ開始タイミングでプレイ開始タイミング信号を、プレイ動作の結果が判明する結果プレイ終了タイミングで結果プレイ終了タイミング信号を発生する抽出タイミング信号発生手段と、スポーツの動画像情報のプレイ開始タイミング信号から結果プレイ終了タイミング信号までを場面識別情報に対応した結果プレイ動画像情報として抽出する動画像抽出手段と、場面識別情報と対応して結果プレイ動画像情報を記憶する第１の記憶手段と、端末装置から端末識別子と動画像取得要求ＵＲＬアドレスあるいは動画像取得要求メールアドレスからなる情報取得要求を受信し動画像取得要求ＵＲＬアドレスあるいは動画像取得要求メールアドレスからなる情報取得要求を含む動画像取得要求情報を出力する受信手段と、動画像取得要求情報を受け場面識別情報と対応して記憶された結果プレイ動画像情報から動画像取得要求情報に対応する場面識別情報の結果プレイ動画像情報を読み出し動画像送信情報を生成し出力する情報生成手段と、端末識別子の端末装置へ前記動画像送信情報を送信する送信手段を具備することを特徴とする。
【請求項１４】
端末装置よりインターネット通信網を介して、要約したスポーツの動画像情報の情報取得要求を受け、前記端末装置へ情報取得要求を受けた動画像情報を伝達する情報伝達装置において、予め端末装置の端末識別子と対応して予約するスポーツの動画像情報の試合識別子を記憶する第２の記憶手段と、前記試合識別子のスポーツの動画像情報１Ａとあるいはこれに加えて動画像表示である動画像表示を出力するスポーツ動画像発生手段と、前記スポーツの動画像情報の場面に対応し場面識別情報を発生する場面識別情報発生手段と、場面識別情報に対応したプレイ動作のプレイ開始タイミングでプレイ開始タイミング信号を、プレイ動作の結果が判明する結果プレイ終了タイミングで結果プレイ終了タイミング信号を発生する抽出タイミング信号発生手段と、スポーツの動画像情報のプレイ開始タイミング信号発生から結果プレイ終了タイミング信号発生までを場面識別情報に対応した結果プレイ動画像情報として抽出する動画像抽出手段と、端末識別子と場面識別情報と対応して結果プレイ動画像情報を記憶する第１の記憶手段と、端末装置から端末識別子と動画像取得要求ＵＲＬアドレスあるいは動画像取得要求メールアドレスからなる情報取得要求を含む動画像取得要求情報を出力する受信手段と、動画像取得要求情報を受け端末識別子と場面識別情報と対応して記憶された結果プレイ動画像情報から動画像取得要求情報に対応する場面識別情報の結果プレイ動画像情報を読み出し動画像送信情報を生成し出力する情報生成手段と、端末識別子の端末装置へ前記動画像送信情報を送信する送信手段を具備することを特徴とする。
【請求項１５】
野球のプレイ動作の結果が判明する結果プレイ終了タイミングを画像認識する方法において、野球のプレイ動作の画像である動画像情報から打席選手の背番号や顔や姿の特徴量を計測し、前記特徴量を持つ選手のヒット等による走者としての出塁、あるいは、ホームラン等によるホームへの到達、あるいは、打席からの退場、あるいは、内野からの退場を画像認識することで、結果プレイ終了タイミングと認識することを特徴とする。
【請求項１６】
サッカープレイ動作の結果が判明する結果プレイ終了タイミングを画像認識する方法において、攻撃側選手と守備側選手をユニホームの色あるいは文字あるいは柄の特徴量で判別し、ボール画像の球体の特徴量からボールを認識しかつピッチのゴールラインとの距離を検出し、はじめに攻撃側選手の足元のボールが、ピッチ内で、守備側ゴールラインから所定量以下にあって、その後、ボールと守備側ゴールラインとのピッチ内での距離が所定量以上になったとき、あるいは、ボールと守備側ゴールラインとの距離がマイナスとなったとき結果プレイ終了タイミングと認識することを特徴とする。
【発明の詳細な説明】
【技術分野】
【０００１】本発明は、端末装置よりインターネット通信網を介して、スポーツの動画像情報の取得要求を受け、前記端末装置へ情報取得要求を受けた動画像情報を伝達する方法および装置、および、プレイ動作の結果が判明する結果プレイ終了タイミングを画像認識する方法に関するものである。また、端末装置とは、インターネット通信網から動画像情報を受信し表示する機能を具備する携帯電話端末やパーソナルコンピュータなどを指す。
【背景技術】
【０００２】従来スポーツの情報を伝達する方法として、インターネット通信網により、例えば、野球スポーツで、試合、例えば、巨人対阪神の試合速報のＵＲＬアドレスをクリックするとＵＲＬアドレスの試合の最新の得点スコアーやイニング数（表裏含む）や打席でのＳＢＯ（ストライク、ボール、アウトカウント）や走者の位置（１塁、２塁、３塁のどこに存在するか）をＨＴＭＬで図形と文字記号含み表現する静止ページ情報を出力し、端末装置ではこれを受信し、表示部に表示しているものがある。しかしながら、これは、静止ページ情報であり、試合（巨人対阪神）の最新までのプレイ動作を要約した動画像情報は、インターネット通信網で、未だに端末装置で情報を取得し見ることができるようにはなっていない。【０００３】一方、テレビ放送の中継や録画再生の動画像情報においては、リアルタイムにあるいは録画再生された連続した動画像情報が出力されるのみであり、いそがしく時間に追われて生活している現代人にとっては、ゆっくりテレビ観戦しているゆとりは少なく、それまでの試合結果の要約した動画像情報を見たいという要求は大変高い。従来技術で、この要求にこたえるものとしては、テレビ放送番組（ここでは、テレビジョンをテレビと表現する）の映像信号の所望の場面シーンを記録し再生する映像信号記録再生装置が各種提案されている。例えば、特開平９−９１９９（発明の名称「映像信号記録／再生装置」）では、主に生放送であるスポーツ中継のダイジェストを自動生成するために、放送の音声のキーワードをサンプリングし、放送の音声中でキーワードが検出された場合に、録画を有効とする映像信号記録再生装置が提案されている。また、特開平１１−５５６１３（発明の名称「記録および／または再生装置およびこれに用いられる記録媒体」）では、スポーツ番組の画面中央付近の得点表示により得点場面シーンを検出し、またはスポーツ番組などの音声信号の特定周波数領域のレベルにより観客の歓声を検出し、またはレース番組などの物体・背景の動きベクトル量によりレース中のトラブル発生場面シーンを検出し、これらの検出位置を基準にその前後の区間を再生するか、それ以外の区間を早送りする映像信号記録再生装置が提案されている。また、特開２００３−１７４６０９では、テレビ放送と同時にインターネット通信網の所定のサイトで配信する野球中継データ中の得点表示の数字が変化を抽出する情報抽出部７を具備し、得点表示の数字が変化したとき、得点場面シーンとして検出して得点場面シーンの情報抽出結果を制御部３に通知する。制御部３は得点場面シーンの情報抽出結果を入力として受けると、記録再生部２を制御して、受信機１からの野球中継放送番組情報の一つの記録再生領域への上書き記録を停止させ、それ以降入力される野球中継放送番組情報は、次の一つの記録再生領域に上書き記録させる。これにより、上書き停止された一つの記録再生領域には、得点場面シーンとその前の場面シーンを含む映像信号が記録できるようになっている。しかしながら、これらは、テレビ放送番組の映像信号の所望の場面シーンを記録し再生する映像信号記録再生装置であり、かつ、その内容も重要プレイを確実に要約するという点では、あいまいで不安定であり、かつ、時間的にかなりの遅れを有するものも有り実用的とはいえなかった。さらに、スポーツの試合の最新までの要約した動画像情報を端末装置へ伝達する方法は未だ実現されていなかった。【０００４】また、要約した動画像情報を抽出する際の抽出終了時点のタイミングの検出する方法としては、従来、前述のように、特開平９−９１９９（発明の名称「映像信号記録／再生装置」）では、主に生放送であるスポーツ中継のダイジェストを自動生成するために、放送の音声のキーワードをサンプリングし、放送の音声中でキーワードが検出された場合に、録画を有効とする映像信号記録再生装置が提案されている。また、特開平１１−５５６１３（発明の名称「記録および／または再生装置およびこれに用いられる記録媒体」）では、スポーツ番組の両面中央付近の得点表示により得点場面シーンを検出し、またはスポーツ番組などの音声信号の特定周波数領域のレベルにより観客の歓声を検出し、またはレース番組などの物体・背景の動きベクトル量によりレース中のトラブル発生場面シーンを検出し、これらの検出位置を基準にその前後の区間を再生するものが提案されている。また、特開２００３−１７４６０９では、テレビ放送と同時にインターネット通信網の所定のサイトで配信する野球中継データ中の得点表示の数字が変化を抽出する情報抽出部７を具備し、得点表示の数字が変化したとき、得点場面シーンとして検出して得点場面シーンの情報抽出結果を制御部３に通知するものがあるが、これらは、いづれも音声信号の特徴量を検出するか、あるいは、画像においては得点やアウトカウントや走者位置等の文字や記号等を検知するものであり、これらの表示によることなく、実際のプレイを画像検出したあるいは実際のプレイのテレビ放送等の受信した動画像情報から要約した動画像情報を抽出するため重要となる動画像情報を抽出する期間の終了時点のタイミングを検出する方法は提案されておらず、実用的で効果的な動画像の抽出方法を提供することができていなかった。
【特許文献】特開平９−９１９９、特開平１１−５５６１３、特開２００３−１７４６０９
【発明の開示】
【本発明が解決しようとする課題】
【０００５】すなわち、従来、スポーツの試合の最新までの要約した動画像情報を端末装置へ伝達する方法は未だ実現されていなかった。また、従来技術で、テレビ放送番組（ここでは、テレビジョンをテレビと表現する）の映像信号の所望の場面シーンを記録し再生する映像信号記録再生装置は各種提案されているが、この装置によれば、ユーザは、試合映像を映像信号記録再生装置にいちいち記録しなければならず、大変面倒であった。また、試合の途中で何回もそのときまでの試合状況をみるためには、それだけ面倒さも増大するから、試合の途中で何回もそのときまでの試合状況をみることは現実的ではなかった。さらに、ユーザがインターネット通信網等に接続した携帯電話やパソコンなどで、所望の試合の現在までの試合結果の要約した場面シーンを動画像情報で見ようとしても、これを実現する情報伝達方法方法や装置はなかった。すなわち、本発明の解決しようとする第１の課題は、所望の試合の現在までの試合結果の要約した動画像情報を見ようとするとき、端末装置よりインターネット通信網を介して、スポーツの動画像情報の取得要求を送信するのみで、本装置より携帯電話等の端末装置へ取得要求に対応する要約したスポーツの動画像情報を伝達する方法および装置を提供することにある。
【０００６】また、テレビ等の動画像情報の配信は著作権や放映権が存在するから、著作権や放映権をもたない第３者が他の者にこれを送信するときは、著作権や放映権をもつ者に許可が必要になる。しかし、個人用に個人の記憶エリアに著作権者のテレビ等の動画像情報を一旦記録し、後からその個人が記録を読み出して見るにぶんには問題の発生はない。本発明の解決しようとする第２の課題は、個人の予約としてのスポーツの動画像情報の要約の記録を残しておき、その予約者である個人が後から所望の試合の現在までの試合結果のした動画像情報を見ようとするとき、端末装置よりインターネット通信網を介して、スポーツの動画像情報の取得要求を送信すると、本装置より端末装置へ取得要求に対応する要約した動画像情報を生成し伝達する方法および装置を提供することにある。このようにすることで、テレビ放送中あるいはケーブルテレビあるいはインターネットで配信中であれば、予約さえしておけば、テレビを見なくても、現状までの最新試合状況の要約的な動画像情報を携帯電話等の端末装置で取得し見ることができる。
【０００７】また、ある特定選手の活躍を知ろうとすれば、従来は、特に有名な、大リーグのイチローや松井秀であれば、インターネット通信網のスポーツニュースから文字情報としてあるいはまれに写真画像情報として１時間から３時間程度遅れて手に入れることができるものの、動画像情報としてプレイの要約を手に入れることはできなかった。また、日本のプロ野球では、本日の巨人清原や阪神金村の試合の全打席結果はニュースで出ることはなく、まして、動画像情報としてプレイの要約を手に入れることはできなかった。すなわち、本発明の解決しようとする第３の課題は、ある特定選手の最新の試合における要約結果プレイを見ることもできる伝達方法と伝達装置を提供することにある。
【０００８】さらに、本発明の解決しようとする第４の課題は、動画像情報をもとに、動画像情報を抽出するため重要となる抽出終了時点のタイミングの検出する方法を提供し実用的で効果的な動画像の抽出方法を提供することである。すなわち、プレイ動作の結果が判明する結果プレイ終了タイミングを自動的に画像認識する方法を提供するものである。これによって、自動的に動画像情報から結果プレイ動画像情報の抽出を可能とするものである。
【０００９】尚ここでインターネット通信網とは、携帯電話のｉモードや電子メールによる送受信を含むことはいうまでもない。また、インターネットのＵＲＬアドレスからＨＴＭＬ等のページ情報を取得するために使用されるブラウザ、あるいは、電子メールで使用される電子メールソフト等は広く知られており（公知）であり記述を省略しているが、端末装置や情報生成伝達装置に具備されているものとする。
【課題を解決するための手段】
【００１０】前記課題を解決するために、本発明の方法、システムは、次のようステップあるいは手段を具備する。
【００１１】請求項１では、端末装置よりインターネット通信網を介して、要約したスポーツの動画像情報の情報取得要求を受け、前記端末装置へ情報取得要求に対応する要約した動画像情報を伝達する方法において、スポーツの動画像情報を発生するステップと、前記スポーツの動画像情報から所定の結果プレイを表現する結果プレイ動画像情報を抽出するステップと、前記結果プレイ動画像情報を記憶するステップと、端末装置から端末識別子と動画像取得要求ＵＲＬアドレスあるいは動画像取得要求メールアドレスからなる情報取得要求を受信するステップと、情報取得要求を受け前記結果プレイ動画像情報を読み出し動画像送信情報を生成するステップと、前記端末識別子の端末装置へ前記動画像送信情報を送信するステップを含むようにしている。このようにすることで、ユーザが現在までの試合結果の要約した動画像情報を見ようとするとき、ユーザは、端末装置からインターネット通信網を介して、所定アドレスへスポーツの動画像情報の情報取得要求を送信するだけで、情報取得要求に対応した要約した動画像情報を手に入れることができる。すなわち、端末装置よりインターネット通信網を介して、スポーツの要約した動画像情報の情報取得要求を受け、前記端末装置へ情報取得要求に対応した要約した動画像情報を伝達することができる。
【００１２】請求項２では、端末装置よりインターネット通信網を介して、要約したスポーツの動画像情報の情報取得要求を受け、前記端末装置へ情報取得要求に対応する要約した動画像情報を伝達する方法において、端末識別子に対応してスポーツの試合識別子を予約記憶するステップと、予約記憶された前記試合識別子のスポーツの動画像情報を発生するステップと、前記スポーツの動画像情報から所定の結果プレイを表現する結果プレイ動画像情報を抽出するステップと、前記端末識別子と対応して前記結果プレイ動画像情報を記憶するステップと、端末装置から端末識別子と動画像取得要求ＵＲＬアドレスあるいは動画像取得要求メールアドレスからなる情報取得要求を受信するステップと、情報取得要求を受け前記端末識別子と対応する前記結果プレイ動画像情報を読み出し動画像送信情報を生成するステップと、前記端末識別子の端末装置へ前記動画像送信情報を送信するステップを含むようにしている。このようにすることにより、端末装置からインターネット通信網を介して、端末識別子と動画像取得要求ＵＲＬアドレスあるいは動画像取得要求メールアドレスを受け、端末装置へ、端末識別子と対応する要約した結果プレイ動画像情報を伝達している。すなわち、端末識別子と対応し予約した試合の要約した動画像情報を伝達することができる。すなわち、ユーザが所望の試合の現在までの試合結果の要約した動画像情報を見ようとするとき、ユーザは、端末装置からインターネット通信網を介して、所定のアドレスへスポーツの動画像情報の取得要求を送信するだけで、取得要求に対応した要約したスポーツの動画像情報を手に入れることができる。すなわち、端末装置よりインターネット通信網を介して、個人用のスポーツの要約した動画像情報の情報取得要求を受け、端末装置へ情報取得要求に対応した個人用あるいは端末識別子別の要約した動画像情報を伝達することができる。
【００１３】請求項３では、端末装置よりインターネット通信網を介して、要約したスポーツの動画像情報の情報取得要求を受け、前記端末装置へ情報取得要求に対応する要約した動画像情報を伝達する方法において、スポーツの動画像情報を発生するステップと、前記スポーツの動画像情報の場面に対応し場面識別情報を発生するステップと、前記スポーツの動画像情報から前記場面識別情報に対応しかつ前記場面識別情報における結果プレイを表現する結果プレイ動画像情報を抽出するステップと、前記場面識別情報と対応して前記結果プレイ動画像情報を記憶するステップと、端末装置から端末識別子と動画像取得要求ＵＲＬアドレスあるいは動画像取得要求メールアドレスを含む情報取得要求を受信するステップと、場面識別情報と対応する結果プレイ動画像情報の記憶から前記情報取得要求に対応する場面識別情報の結果プレイ動画像情報を読み出し動画像送信情報を生成するステップと、前記端末識別子の端末装置へ前記動画像送信情報を送信するステップを含むようにしている。このようにすることで、ユーザが所望の試合の現在までの試合結果の要約した動画像情報を見ようとするとき、ユーザは、端末装置からインターネット通信網を介して、所定アドレスへスポーツの動画像情報の情報取得要求を送信するだけで、情報取得要求に対応した要約した動画像情報を手に入れることができる。すなわち、端末装置よりインターネット通信網を介して、スポーツの要約した動画像情報の情報取得要求を受け、前記端末装置へ情報取得要求に対応した要約した動画像情報を伝達することができる。
【００１４】請求項４では、端末装置よりインターネット通信網を介して、要約したスポーツの動画像情報の情報取得要求を受け、前記端末装置へ情報取得要求に対応する要約した動画像情報を伝達する方法において、端末識別子に対応してスポーツの試合識別子を予約記憶するステップと、予約記憶された前記試合識別子のスポーツの動画像情報を発生するステップと、前記スポーツの動画像情報の場面に対応レ場面識別情報を発生するステップと、前記スポーツの動画像情報から前記場面識別情報に対応しかつ前記場面識別情報における結果プレイを表現する結果プレイ動画像情報を抽出するステップと、前記端末識別子と前記場面識別情報に対応して前記結果プレイ動画像情報を記憶するステップと、端末装置から端末識別子と動画像取得要求ＵＲＬアドレスあるいは動画像取得要求メールアドレスを含む情報取得要求を受信するステップと、端末識別子と場面識別情報に対応する結果プレイ動画像情報の記憶から前記端末識別子に対応しかつ前記情報取得要求に対応する場面識別情報の結果プレイ動画像情報を読み出し動画像送信情報を生成するステップと、前記端末識別子の端末装置へ前記動画像送信情報を送信するステップを含むようにしている。このようにすることにより、端末装置からインターネット通信網を介して、端末識別子と動画像取得要求ＵＲＬアドレスあるいは動画像取得要求メールアドレスを受け、端末装置へ、端末識別子と場面識別情報に対応する結果プレイ動画像情報から動画像取得要求ＵＲＬアドレスあるいは動画像取得要求メールアドレスからなる情報取得要求に対応する要求場面識別情報に対応する動画像送信情報を伝達している。すなわち、端末識別子と対応し予約した試合識別子の要約した動画像情報を伝達することができる。すなわち、ユーザが所望の試合の現在までの試合結果の要約した動画像情報を見ようとするとき、ユーザは、端末装置からインターネット通信網を介して、所定のアドレスへスポーツの動画像情報の取得要求を送信するだけで、取得要求に対応した要約したスポーツの動画像情報を手に入れることができる。すなわち、端末装置よりインターネット通信網を介して、個人用のスポーツの要約した動画像情報の情報取得要求を受け、端末装置へ情報取得要求に対応した個人用あるいは端末識別子別の要約した動画像情報を伝達することができる。
【００１５】請求項５では、端末装置よりインターネット通信網を介して、要約したスポーツの動画像情報の情報取得要求を受け、前記端末装置へ情報取得要求に対応する要約した動画像情報を伝達する方法において、スポーツの動画像情報を発生するステップと、前記スポーツの動画像情報の場面に対応し場面識別情報を発生するステップと、前記スポーツの動画像情報から前記場面識別情報に対応しかつ前記場面識別情報における結果プレイを表現する結果プレイ動画像情報を抽出するステップと、場面識別情報を画像表示で分かるように文字記号画像表示変換し場面識別画像情報を出力するステップと、場面識別画像情報と結果プレイ動画像情報を組合わせ組合わせ結果プレイ動画像情報を発生するステップと、前記場面識別情報と対応して前記組合わせ結果プレイ動画像情報を記憶するステップと、端末装置から端末識別子と動画像取得要求ＵＲＬアドレスあるいは動画像取得要求メールアドレスを含む情報取得要求を受信するステップと、前記場面識別情報と対応する組合わせ結果プレイ動画像情報の記憶から情報取得要求に対応する場面識別情報の組合わせ結果プレイ動画像情報を読み出し動画像送信情報を生成するステップと、前記端末識別子の端末装置へ前記動画像送信情報を送信するステップを含むようにしている。このようにすることで、ユーザが端末装置で動画像送信情報を見れば、場面識別情報が画像表示で見て分かるように文字記号画像表示変換し表示され、状況把握が容易になるという大きな効果がある。
【００１６】請求項６では、請求項１、請求項２、請求項３、請求項４、請求項５において、結果プレイ動画像情報を抽出するステップは、場面あるいは場面識別情報に対応したプレイ動作のプレイ開始タイミングでプレイ開始タイミング信号を、プレイ動作の結果が判明する結果プレイ終了タイミングで結果プレイ終了タイミング信号を発生し、スポーツの動画像情報のプレイ開始タイミング信号から結果プレイ終了タイミング信号までを場面あるいは場面識別情報に対応した結果プレイ動画像情報として抽出するようにしている。このようにすることで、スポーツの動画像情報から場面識別情報に対応した結果プレイ動画像情報の抽出が容易になる。
【００１７】請求項７では、請求項３、請求項４、請求項５、請求項６において、場面識別情報は、動画像情報を自動画像認識処理し発生するようにしている。このようにすることで、スポーツの動画像情報から場面識別情報に対応した結果プレイ動画像情報の抽出が自動化できる。
【００１８】請求項８では、請求項６において、場面あるいは場面識別情報に対応したプレイ動作のプレイ開始タイミングでプレイ開始タイミング信号の発生、および、プレイ動作の結果が判明する結果プレイ終了タイミングで結果プレイ終了タイミング信号を発生は、動画像情報を自動画像認識処理し発生するようにしている。このようにすることで、スポーツの動画像情報から場面あるいは場面識別情報に対応した結果プレイ動画像情報の抽出するためのタイミングの発生が自動化でき、その結果、スポーツの動画像情報から場面識別情報に対応した結果プレイ動画像情報の抽出が自動化できる。
【００１９】請求項９では、請求項１、請求項２、請求項３、請求項４、請求項５において、場面あるいは場面識別情報に対応した結果プレイ動画像情報の抽出は、場面あるいは場面識別情報に対応したプレイ動作の結果が判明するプレイ結果判明時点を結果プレイ終了タイミングとし、結果プレイ終了タイミングからプレイを表現するに十分な所定時間前へさかのぼった時点あるいは結果プレイ終了タイミングからさかのぼって最も近いプレイ開始時点を開始タイミングとし、開始タイミングから結果プレイ終了タイミングまでの期間のスポーツの動画像情報を結果プレイ動画像情報として抽出するようにしている。このように場面あるいは場面識別情報に対応した結果プレイ動画像情報の抽出は、場面あるいは場面識別情報に対応したプレイ結果が判明しプレイ結果判明時点を結果プレイ終了タイミングとし、結果プレイ終了タイミングからさかのぼって最も近いプレイ開始時点を開始タイミングとすることで、スポーツの動画像情報から場面あるいは場面識別情報に対応した結果プレイ動画像情報の抽出するためのタイミングの発生が、より正確かつ実用的になり、スポーツの動画像情報から場面あるいは場面識別情報に対応した結果プレイ動画像情報の抽出がより正確かつ実用的になる。また、場面あるいは場面識別情報に対応した結果プレイ動画像情報の抽出は、場面あるいは場面識別情報に対応したプレイ結果が判明したプレイ結果判明時点を結果プレイ終了タイミングとし、結果プレイ終了タイミングからプレイを表現するに十分な所定時間前へさかのぼった時点を開始タイミングとすれば、結果プレイ終了タイミングのみでも、スポーツの動画像情報から場面あるいは場面識別情報に対応した結果プレイ動画像情報の抽出を可能としている。
【００２０】請求項１０では、請求項３、請求項４、請求項５、請求項６、請求項７、請求項８において、スポーツは野球であり、かつ、場面識別情報は、チャンス場面の有無、あるいは、結果得点の有無、あるいは、結果ヒットの有無、結果ホームランの有無、あるいは、打席の選手識別子を含むようにしている。このようにすることで、ユーザが野球の所望の試合の現在までの試合結果の要約のキーとなるチャンス場面の有、あるいは、結果得点の有、に対応する場面識別情報をもつ動画像送信情報として生成するから、重要な場面のみを集め動画像送信情報を見ることができる。また、ホームランの場面やヒットの場面あるいは特定選手の打席のみをあるいはこれらを組合わせて動画像送信情報として生成することができるから、ユーザは自分の好みに合った動画像送信情報を見ることができる。
【００２１】請求項１１では、請求項３、請求項４、請求項５、請求項６、請求項７、請求項８において、スポーツはサッカーであり、かつ、場面識別情報は、チャンス場面の有無、あるいは、結果得点の有無、あるいは、結果スーパープレイの有無、あるいは、プレイする選手識別子を含むようにしている。このようにすることで、ユーザがサッカーの所望の試合の現在までの試合結果の要約のキーとなるチャンス場面の有、あるいは、結果得点の有、に対応する場面識別情報をもつ動画像送信情報として生成するから、重要な場面のみを集め動画像送信情報を見ることができる。また、結果スーパープレイの有、の場面や特定選手のプレイのみをあるいはこれらを組合わせて動画像送信情報として生成することができるから、ユーザは自分の好みに合った動画像送信情報を見ることができる。
【００２２】請求項１２では、請求項３、請求項４、請求項５、請求項６、請求項７、請求項８において、スポーツは個人戦あるいはダブルスペア戦であり、かつ、場面識別情報は、結果スーパープレイの有無あるいはプレイする選手識別子を含むようにしている。このようにすることで、また、結果スーパープレイの有、の場面や特定選手のプレイのみをあるいはこれらを組合わせて動画像送信情報として生成することができるから、ユーザは自分の好みに合った動画像送信情報を見ることができる。
【００２３】請求項１３では、端末装置よりインターネット通信網を介して、要約したスポーツの動画像情報の情報取得要求を受け、前記端末装置へ情報取得要求に対応する要約した動画像情報を伝達する装置において、所定のスポーツの動画像情報を出力するスポーツ動画像発生手段と、前記スポーツの動画像情報の場面に対応し場面識別情報を発生する場面識別情報発生手段と、場面識別情報に対応したプレイ動作のプレイ開始タイミングでプレイ開始タイミング信号を、プレイ動作の結果が判明する結果プレイ終了タイミングで結果プレイ終了タイミング信号を発生する抽出タイミング信号発生手段と、スポーツの動画像情報のプレイ開始タイミング信号から結果プレイ終了タイミング信号までを場面識別情報に対応した結果プレイ動画像情報として抽出する動画像抽出手段と、場面識別情報と対応して結果プレイ動画像情報を記憶する第１の記憶手段と、端末装置から端末識別子と動画像取得要求ＵＲＬアドレスあるいは動画像取得要求メールアドレスからなる情報取得要求を受信し動画像取得要求ＵＲＬアドレスあるいは動画像取得要求メールアドレスからなる情報取得要求を含む動画像取得要求情報を出力する受信手段と、動画像取得要求情報を受け場面識別情報と対応して記憶された結果プレイ動画像情報から動画像取得要求情報に対応する場面識別情報の結果プレイ動画像情報を読み出し動画像送信情報を生成し出力する情報生成手段と、端末識別子の端末装置へ前記動画像送信情報を送信する送信手段を具備するようにしている。このようにすることで、ユーザが所定の試合の現在までの試合結果の要約した動画像情報を見ようとするとき、ユーザは、端末装置からインターネット通信網を介して、動画像取得要求ＵＲＬアドレスあるいは動画像取得要求メールアドレスへスポーツの動画像情報の情報取得要求を送信するだけで、情報取得要求に対応した要約したスポーツの動画像情報を手に入れることができる。すなわち、端末装置よりインターネット通信網を介して、スポーツの要約した動画像情報の情報取得要求を受け、前記端末装置へ情報取得要求に対応した要約した動画像情報を伝達することができる。
【００２４】請求項１４では、端末装置よりインターネット通信網を介して、要約したスポーツの動画像情報の情報取得要求を受け、前記端末装置へ情報取得要求を受けた動画像情報を伝達する情報伝達装置において、予め端末装置の端末識別子と対応して予約するスポーツの動画像情報の試合識別子を記憶する第２の記憶手段と、前記試合識別子のスポーツの動画像情報１Ａとあるいはこれに加えて動画像表示である動画像表示を出力するスポーツ動画像発生手段と、前記スポーツの動画像情報の場面に対応し場面識別情報を発生する場面識別情報発生手段と、場面識別情報に対応したプレイ動作のプレイ開始タイミングでプレイ開始タイミング信号を、プレイ動作の結果が判明する結果プレイ終了タイミングで結果プレイ終了タイミング信号を発生する抽出タイミング信号発生手段と、スポーツの動画像情報のプレイ開始タイミング信号発生から結果プレイ終了タイミング信号発生までを場面識別情報に対応した結果プレイ動画像情報として抽出する動画像抽出手段と、端末識別子と場面識別情報と対応して結果プレイ動画像情報を記憶する第１の記憶手段と、端末装置から端末識別子と動画像取得要求ＵＲＬアドレスあるいは動画像取得要求メールアドレスからなる情報取得要求を含む動画像取得要求情報を出力する受信手段と、動画像取得要求情報を受け端末識別子と場面識別情報と対応して記憶された結果プレイ動画像情報から動画像取得要求情報に対応する場面識別情報の結果プレイ動画像情報を読み出し動画像送信情報を生成し出力する情報生成手段と、端末識別子の端末装置へ前記動画像送信情報を送信する送信手段を具備するようにしている。このようにすることで、ユーザは予め希望するスポーツの試合識別子を予約さえしておけば、ユーザが予約した試合識別子の現在までの試合結果の要約した動画像情報を見ようとするとき、ユーザは、端末装置からインターネット通信網を介して、動画像取得要求ＵＲＬアドレスあるいは動画像取得要求メールアドレスへスポーツの動画像情報の情報取得要求を送信するだけで、情報取得要求に対応した要約したスポーツの動画像情報を手に入れることができる。すなわち、端末装置よりインターネット通信網を介して、スポーツの要約した動画像情報の情報取得要求を受け、前記端末装置へ情報取得要求に対応した要約した動画像情報を伝達することができる。
【００２５】請求項１５では、野球のプレイ動作の結果が判明する結果プレイ終了タイミングを画像認識する方法において、野球のプレイ動作の画像である動画像情報から打席選手の背番号や顔や姿の特徴量を計測し、前記特徴量を持つ選手のヒット等による走者としての出塁、あるいは、ホームラン等によるホームへの到達、あるいは、打席からの退場、あるいは、内野からの退場を画像認識することで、結果プレイ終了タイミングと認識するようにしている。このようにすることで、野球のプレイ動作の結果が判明する結果プレイ終了タイミングを自動的に画像認識できるという大きな効果がある。
【００２６】請求項１６では、サッカープレイ動作の結果が判明する結果プレイ終了タイミングを画像認識する方法において、攻撃側選手と守備側選手をユニホームの色あるいは文字あるいは柄の特徴量で判別し、ボール画像の球体の特徴量からボールを認識しかつピッチのゴールラインとの距離を検出し、はじめに攻撃側選手の足元のボールが、ピッチ内で、守備側ゴールラインから所定量以下にあって、その後、ボールと守備側ゴールラインとのピッチ内での距離が所定量以上になったとき、あるいは、ボールと守備側ゴールラインとの距離がマイナスとなったとき結果プレイ終了タイミングと認識するようにしている。このようにすることで、サッカーのプレイ動作の結果が判明する結果プレイ終了タイミングを自動的に画像認識できるという大きな効果がある。
【発明の効果】
【００２７】従来、端末装置よりインターネット通信網を介して、スポーツの試合の最新までの要約した動画像情報を端末装置へ伝達する方法は未だ実現されていなかったが、実施例で詳細記述するように、本発明によれば、ユーザが所定の試合の試合開始から現在までの試合結果の要約した動画像情報を見ようとするとき、ユーザは、端末装置からインターネット通信網を介して、動画像取得要求ＵＲＬアドレス２００Ｃあるいは動画像取得要求メールアドレスへスポーツの動画像情報の情報取得要求を送信するだけで、情報取得要求に対応した要約したスポーツの動画像情報を手に入れることができる。すなわち、端末装置よりインターネット通信網を介して、スポーツの要約した動画像情報の情報取得要求を受け、前記端末装置へ情報取得要求に対応した要約した動画像情報を伝達する方法および装置を提供するから、ユーザは、長い時間スポーツ中継を見つづけることもなく、必要とする最新のスポーツの要約した動画像情報を取得できるという極めて大きな効果がある。
【００２８】また、スポーツの試合が、テレビ放送やケーブルテレビあるいはインターネットで広く配信されるものであれば、ユーザは予め希望するスポーツの試合識別子を予約さえしておけば、ユーザが予約した試合識別子の現在までの試合結果の要約した動画像情報を見ようとするとき、ユーザは、端末装置からインターネット通信網を介して、動画像取得要求ＵＲＬアドレス２００Ｃあるいは動画像取得要求メールアドレスへスポーツの動画像情報の情報取得要求を送信するだけで、情報取得要求に対応した要約したスポーツの動画像情報を手に入れることができる。すなわち、端末装置よりインターネット通信網を介して、スポーツの要約した動画像情報の情報取得要求を受け、前記端末装置へ情報取得要求に対応した要約した動画像情報を伝達する方法および装置を提供するから、ユーザは、予約したスポーツの試合の最新の要約した動画像情報を取得できるという極めて大きな効果がある。
【００２９】さらに、従来、スポーツの特定選手の活躍を知ろうとすれば、従来は、特に有名な、大リーグのイチローや松井秀であれば、インターネット通信網のスポーツニュースから文字情報としてあるいはまれに写真画像情報として１時間から３時間程度遅れて手に入れることができるものの、動画像情報としてプレイの要約を手に入れることはできなかった。しかし、本発明によれば、最新の試合における現状までの最新試合状況の特定選手の要約した動画像情報を取得し見ることができるという極めて大きな効果がある。
【００３０】このように本発明によれば、現状までの最新のスポーツの試合の最新試合結果の要約したを伝達する方法と装置を提供しており、ユーザは、本発明によれば、どこにいても、いつでも、ほしいときにほしい要約したスポーツの動画像情報を取得できるという極めて大きな効果を上げることができる。その他の効果として、スポーツ画像の要約を実現することで、要約画像の配信を増大させ、スポーツ提供の価値を高める効果がある。ユーザには好きなときに、ほしいスポーツ要約データを提供でき、利便性を大きく向上させることができる。また、野球やサッカーのプレイ動作の結果が判明する結果プレイ終了タイミングを自動的に画像認識できる方法を提供し、その結果として、自動的に動画像情報から結果プレイ動画像情報の抽出を可能とするという極めて大きな効果がある。
【発明を実施するための最良の形態】
【００３１】以下、本発明の代表的な実施の形態について図面に基づいて説明する。尚、本発明の本質に関連が薄く公知な技術は説明を省略している。
【実施例１】
【００３２】第１の実施例について、図１、図２、図３、図４、図５、図６、図７を使用して構成と作動について説明する。図１は、第１の実施例の情報生成伝達システム１００００の構成図であり、情報生成伝達システム１００００は、インターネット通信網のＷＷＷのＵＲＬアドレスから情報取得し表示できる機能をもつ携帯電話からなる端末装置２００と、インターネット通信網３００と、情報生成伝達装置１００から構成されている。図２は情報生成伝達装置１００の構成図であり、図３は端末装置２００の構成図である。【００３３】端末装置２００は、インターネット通信網３００から動画像送信情報８Ａを受信し動画像送信情報８Ａを表示する機能を持つ携帯電話からなり、操作ボタンからなり操作信号を発生する操作入力部２００４と、情報生成伝達装置１００からの情報である動画像送信情報８Ａをインターネット通信網３００を介して受信するインターネット受信部２００１と、動画像送信情報８Ａを表示する表示部２００５と、インターネット通信網３００を介して情報生成伝達装置１００に動画像取得要求ＵＲＬアドレス２００Ｃ等の情報取得情報を送信するインターネット送信部２００２と、必要な情報を記憶する記憶部２００６と、操作入力部２００４とインターネット受信部２００１とインターネット送信部２００２と表示部２００５と記憶部２００６を制御し、さらに受信した動画像送信情報８Ａを動画像表示に適するように変換制御等を行うＣＰＵ部２００３を備える。また、端末装置２００は端末の識別子として端末識別子２００Ａをもつ。【００３４】端末装置２００のもつ移動体通信の電話機能等の機能は本発明に関連が薄いので、ここでは省略する。また、第１の実施例では、動画像取得要求ＵＲＬアドレス２００Ｃが情報取得要求である。説明がわかりにくくなるため動画像取得要求ＵＲＬアドレス２００Ｃで表現している。【００３５】情報生成伝達装置１００は、スポーツの動画像情報１Ａとスポーツの動画像情報１Ａの動画像表示である動画像表示１Ｂを出力するスポーツ動画像発生手段１と、スポーツの動画像情報１Ａの場面に対応しプレイ場面を識別する情報である場面識別情報５Ａを発生する場面識別情報発生手段５と、人がスポーツの実際のプレイあるいはスポーツの動画像表示１Ｂを視認し、スイッチ操作により場面識別情報５Ａに対応したプレイ動作のプレイ開始タイミングでプレイ開始タイミング信号４Ａを、プレイ動作の結果が判明する結果プレイ終了タイミングで結果プレイ終了タイミング信号４Ｂを発生する抽出タイミング信号発生手段４と、スポーツの動画像情報１Ａからプレイ開始タイミング信号４Ａと結果プレイ終了タイミング信号４Ｂにより場面識別情報５Ａに対応した結果プレイ動画像情報２Ａを抽出する動画像抽出手段２と、場面識別情報５Ａと対応して結果プレイ動画像情報２Ａを記憶し、かつ、予め動画像取得要求ＵＲＬアドレス２００Ｃすなわち情報取得要求に対応する要求場面識別情報２００Ｒを記憶する第１の記憶手段７と、端末装置２００から端末識別子２００Ａと動画像取得要求ＵＲＬアドレス２００Ｃを受信し、前記端末識別子２００Ａの動画像取得要求ＵＲＬアドレス２００Ｃを含む動画像取得要求情報１１Ａを出力する受信手段１１と、動画像取得要求情報１１Ａを受け、動画像取得要求情報１１Ａに含まれる動画像取得要求ＵＲＬアドレス２００Ｃすなわち情報取得要求に対応する要求場面識別情報２００Ｒを第１の記憶手段７より読み出し要求場面識別情報２００Ｒに対応する場面識別情報５Ａの結果プレイ動画像情報２Ａを読み出し動画像送信情報８Ａを生成し端末識別子２００Ａと動画像送信情報８Ａを出力する情報生成手段８と、端末識別子２００Ａと動画像送信情報８Ａを受け端末識別子２００Ａの端末装置へ前記動画像送信情報８Ａを送信する送信手段１２を具備するようにしている。【００３６】また、スポーツ動画像発生手段１は、テレビ撮像装置からなり野球というスポーツプレイを撮影し動画像情報１Ａを発生する動画像検出部１０１と動画像情報１Ａを画像表示する表示部１０２を備える。【００３７】また、抽出タイミング信号発生手段４は押しボタンスイッチからなり、スポーツプレイの実際のプレイ（現場）を見てあるいは表示部１０２に表示される動画像表示１Ｂを見て、結果プレイの場面に対応して、人が押しボタンスイッチを操作するによって、各打席のプレイの開始タイミングで、例えば、ここでは、打席選手への投手の投球の開始タイミングで、プレイ開始タイミング信号４Ａを発生するプレイ開始タイミング発生部４１と、プレイの結果が判明する結果プレイ終了タイミングで、例えば、打席選手のその打席の結果が判明するタイミングで、結果プレイ終了タイミング信号４Ｂを発生する結果プレイ終了タイミング発生部４２を備える。【００３８】また、場面識別情報発生手段５は、設定スイッチからなる操作入力部５１と設定情報発生部５２とからなり、パネル本体に、スイッチ群が図４のように配置される。図４は、操作入力部５１のスイッチの配置を示す説明図である。操作者は、試合開始前に、ロータリー型の設定スイッチである操作入力部５１０１で試合の対戦チーム名すなわち先攻チーム名と後攻チーム名を、操作入力部５１０２で試合日時、すなわち、月日時間を設定する。また、各打者の各打席が打席に入るとそれに応じてロータリー型の設定スイッチである操作入力部５１０３で打席選手所属チーム頭漢字と背番号を設定する。また、操作入力部５１０４でチャンス場面の有無をすなわち２塁と３塁の走者の有無を設定する。また、各打席のプレイの結果が決まると、設定スイッチである操作入力部５１０５で結果打席成績、すなわち、アウト、失策出塁、四死球、１塁打、２塁打、３塁打、本塁打の区別を設定し、設定スイッチである操作入力部５１０６で結果得点数を、設定スイッチである操作入力部５１０７で結果両チーム得点スコアを設定し、設定情報発生部５２は、各スイッチ設定に対応する場面識別情報５Ａを出力する。ここで、場面識別情報５Ａとは、プレイ場面を識別するための情報であり、試合識別子（例えば、対戦チーム名と試合開始日時で表現するものとする）、あるいは、チャンス場面の有無、結果得点、結果打席成績（アウト、四死球、１塁打、２塁打、３塁打、本塁打の区別）、あるいは、選手の識別子（例えば、選手の所属チームと背番号）など、場面を識別するための情報である。ここで、結果得点、結果打席成績（アウト、失策出塁、四死球、１塁打、２塁打、３塁打、本塁打の区別）は、プレイの結果として発生した情報でありプレイ結果情報５Ｃと称する。プレイ結果情報５Ｃは場面識別情報５Ａに含まれている。【００３９】動画像抽出手段２は、動画像情報１Ａを記憶および再生する記憶再生部２１と記憶再生部２１を制御する制御部２２からなり、制御部２２はプレイ開始タイミング信号４Ａを受けるとその都度、記憶スタート信号２２Ｓを発生し記憶再生部２１はプレイ開始タイミング信号４Ａ、すなわち、記憶スタート信号２２Ｓを受けた時点を始点として固定先頭アドレスから順次、動画像情報１Ａを上書きして記憶する。そして、結果プレイ終了タイミング信号４Ｂを受けると制御部２２は抽出命令信号２２Ａを発生し記憶再生部２１は抽出命令信号２２Ａを受けると、記憶再生部２１の記憶を停止し、固定先頭アドレスから結果プレイ終了タイミング信号４Ｂ、すなわち、抽出命令信号２２Ａ受信までの間に、記憶再生部２１に記憶された動画像情報１Ａを順次再生し場面識別情報５Ａに対応した結果プレイ動画像情報２Ａを出力する。このとき、結果プレイ終了タイミング信号４Ｂ受信からさかのぼってもっとも近いプレイ開始タイミング信号４Ａまでの記憶再生部２１に記憶された動画像情報１Ａが結果プレイ動画像情報２Ａとして抽出され出力されることになる。【００４０】第１の記憶手段７は、結果プレイ動画像情報２Ａを受けると、同じくそのときの場面識別情報５Ａと対応させて、結果プレイ動画像情報２Ａを記憶する。【００４１】このようにして、試合開始からの全打席において、抽出タイミング信号発生手段４によるプレイ開始タイミング信号４Ａと結果プレイ終了タイミング信号４Ｂの発生、場面識別情報発生手段５による場面識別情報５Ａを含む設定出力信号５０２Ａの発生、抽出タイミング信号発生手段４による場面識別情報５Ａに対応したプレイ開始タイミング信号４Ａと結果プレイ終了タイミングで結果プレイ終了タイミング信号４Ｂを発生、動画像抽出手段２によるスポーツの動画像情報１Ａからプレイ開始タイミング信号４Ａと結果プレイ終了タイミング信号４Ｂにより場面識別情報５Ａに対応した結果プレイ動画像情報２Ａの抽出し、そして、第１の記憶手段７による場面識別情報５Ａと対応する結果プレイ動画像情報２Ａを記憶する。これらの一連の動作が試合が終了されるまで続けられる。このようにして、場面識別情報５Ａと対応させて結果プレイ動画像情報２Ａを第１の記憶手段７に記憶する。【００４２】次に、作動を説明する。まずはじめに、予め動画像取得要求ＵＲＬアドレス２００Ｃすなわち情報取得要求と対応して要求場面識別情報２００Ｒが第１の記憶手段７に記憶される。要求場面識別情報２００Ｒには要求する場面識別情報として試合を識別するための「試合識別子」および全打席場面の選択か指定する「全打席場面」あるいは、チャンス場面や得点場面を選択指定する「チャンス場面と得点場面」あるいは特定選手の打席を指定する「選手識別子」などを含んでいる。ここで、動画像取得要求ＵＲＬアドレス２００Ｃは次の３つ、「ｈｔｔｐ：／／ｗｗｗ．ｓｐｏｒｔｄａｔａ．ｃｏｍ／Ｇ／ｚｅｎｄａｓｅｋｉ」、「ｈｔｔｐ：／／ｗｗｗ．ｓｐｏｒｔｄａｔａ．ｃｏｍ／Ｘ／ｃｈａｎｃｅｔｏｋｕｔｅｎ」、「ｈｔｔｐ：／／ｗｗｗ．ｓｐｏｒｔｄａｔａ．ｃｏｍ／Ｘ／ＮＯＧ０５」が設定され、また、それぞれの動画像取得要求ＵＲＬアドレス２００Ｃに対応して要求場面識別情報２００Ｒが次のように設定されている。すなわち、「ｈｔｔｐ：／／ｗｗｗ．ｓｐｏｒｔｄａｔａ．ｃｏｍ／Ｇ／ｚｅｎｄａｓｅｋｉ」に対応して「横浜−巨人、７月８日１８：００、全打席場面」が、「ｈｔｔｐ：／／ｗｗｗ．ｓｐｏｒｔｄａｔａ．ｃｏｍ／Ｘ／ｃｈａｎｃｅｔｏｋｕｔｅｎ」に対応して「横浜−巨人、７月８日１８：００、チャンス場面と得点場面」が、「ｈｔｔｐ：／／ｗｗｗ．ｓｐｏｒｔｄａｔａ．ｃｏｍ／Ｘ／ＮＯＧ０５」に対応して「横浜−巨人、７月８日１８：００、ＮＯ巨０５」が要求場面識別情報２００Ｒとして第１の記憶手段７に記憶されている。ここで、「横浜−巨人、７月８日１８：００」は試合を特定する情報で「試合識別子」である。【００４３】図５は第１の実施例の作動を示す流れ図である。（）内の数字は作動ステップの番号である。第１の実施例は、次のようなステップ、すなわち、スポーツの動画像情報１Ａを発生するステップ（Ｓ０１）と、スポーツの動画像情報１Ａの場面に対応し場面識別情報５Ａを発生するステップ（Ｓ０２）と、スポーツの動画像情報１Ａから場面識別情報５Ａに対応しかつ場面識別情報５Ａにおける結果プレイを表現する結果プレイ動画像情報２Ａを抽出するステップ（Ｓ０３）と、場面識別情報５Ａと対応して結果プレイ動画像情報２Ａを記憶するステップ（Ｓ０４）と、端末装置２００から端末識別子２００Ａと動画像取得要求ＵＲＬアドレス２００Ｃを受信するステップ（Ｓ０５）と、予め記憶された動画像取得要求ＵＲＬアドレス２００Ｃに対応する要求場面識別情報２００Ｒを読み出すステップ（Ｓ０６）と、場面識別情報５Ａと対応する結果プレイ動画像情報２Ａの記憶から前記要求場面識別情報２００Ｒに対応する場面識別情報５Ａの結果プレイ動画像情報２Ａを読み出し動画像送信情報８Ａを生成するステップ（Ｓ０７）と、前記端末識別子２００Ａの端末装置２００へ前記動画像送信情報８Ａを送信するステップ（Ｓ０８）を具備している。【００４４】次に、場面識別情報５Ａと対応する結果プレイ動画像情報２Ａの抽出と記憶について説明する。また、試合「横浜−巨人、７月８日１８：００」が開始されるとスポーツ動画像発生手段１はスポーツの動画像情報１Ａを発生する。すなわち、図５のＳ０１である。【００４５】次に、操作者は、実際のスポーツプレイあるいは動画像情報１Ａを表示する表示部１０２の動画像表示１Ｂを見ながら、試合の全打席における打者が打席に入る都度にチャンス場面の有無、打席の選手識別子（チームと背番号）の設定を場面識別情報発生手段５の操作入力部５１の文字記号設定スイッチを操作し設定する。すなわち、図５のＳ０２である。さらに、試合の全打席における打者への投手の投球タイミングに合わせプレイ開始タイミング発生部４１の押しボタンを押し、打席の結果が判明すると、そのとき結果プレイ終了タイミング発生部４２の押しボタンを押す。ここで、例えば、打席の結果が判明する時点とは、打者が、アウトか失策出塁か四死球出塁か１塁打２塁打３塁打本塁打か、および、得点の結果や打点の結果が出た時点をいう。例えば、ヒットなら２塁打や３塁打や本塁打の区別が決定し、しかも、そのプレイ結果による得点の結果が決まった時点、例えば、ランナーがいて、ヒットを打ち、ランナーが本塁まで突入したケースではそのプレイの結果得点の有無あるいは走塁の結果のアウトセーフが決まった時点をいう。【００４６】ところで、今、場面識別情報発生手段５の操作入力部５１の文字記号設定スイッチの設定「対戦チーム、試合開始月日時、チャンス場面の有無、打席の選手識別子」が、「巨人対横浜、７月８日１８：００、チャンス場面有、巨０５」と設定され出力する。ここで、「巨人対横浜７月８日１８：００」は試合を識別する情報であり試合識別子と称するものとする。また、「巨０５」は選手を特定する情報で選手識別子と称する。「巨０５」は巨人の背番号５の選手、現在は清原選手である。【００４７】次に、操作者は、投手が打者「巨０５」への投球動作を開始する都度、プレイ開始タイミング発生部４１の押しボタンを押すと、プレイ開始タイミング発生部４１はプレイ開始タイミング信号４Ａを発生する。１球目、２球目、は結果プレイとならず、３球目にヒットとなり、ランナーが本塁に生還したとする。このとき、本塁に生還と同時に打者走者は、１塁に達したとすると、これらの両方の走塁のアウトセーフの結果が決まった時点にプレイ結果情報５Ｃとして、結果スコア横浜−巨人＝０−１、結果得点＝１点、結果打席のアウト・失策出塁・四球・１塁打・２塁打・３塁打・本塁打の区別＝１塁打、を設定し、結果プレイ終了タイミング発生手段４２の押しボタンを押す。場面識別情報発生手段５は操作入力部５１の設定に対応して、試合識別子やチャンス場面の有無や選手識別子やプレイ結果情報５Ｃを含む場面識別情報５Ａ「巨人対横浜、７月８日１８：００、チャンス走者有、巨０５、０−１、得点１点、１塁打」を出力する。すなわち、図５のＳ０２である。また、抽出タイミング信号発生手段４は、このとき、１球目、２球目、３球目の投球動作に対応して、３つのプレイ開始タイミング信号４Ａ、すなわち１球目プレイ開始タイミング信号４Ａ１、２球目プレイ開始タイミング信号４Ａ２、３球目プレイ開始タイミング信号４Ａ３、を発生し、その後、３球目の結果プレイ終了タイミングに対応して結果プレイ終了タイミング発生部４２の押しボタンが押され結果プレイ終了タイミング信号４Ｂが発生されることとなる。【００４８】次に、動画像抽出手段２は、１球目プレイ開始タイミング信号４Ａ１を受けると、記憶再生部２１の固定先頭アドレスを始点として１球目プレイ開始タイミング信号４Ａ１発生以降の動画像情報１Ａを順次記憶する。次に２球目プレイ開始タイミング信号４Ａ２を受けると、再度、記憶再生部２１の固定先頭アドレスを始点として２球目プレイ開始タイミング信号４Ａ１発生以降の動画像情報１Ａを順次記憶する。従って、１球目プレイ開始タイミング信号４Ａ１発生以降の順次記憶された動画像情報１Ａは２球目プレイ開始タイミング信号４Ａ２発生以降の動画像情報１Ａに上書きされて消去される。次に３球目に打者の当たりはヒットになり、プレイ開始タイミング信号４Ａ３を受けると、再度、記憶再生部２１の固定先頭アドレスを始点として３球目プレイ開始タイミング信号４Ａ３発生以降の動画像情報１Ａを順次記憶する。【００４９】そして、次に結果プレイ終了タイミング信号４Ｂを受けると制御部２２は、抽出命令信号２２Ａを出力し、記憶再生部２１は抽出命令信号２２Ａを受けると、動画像情報１Ａの記憶再生部２１への記憶を停止し、固定先頭アドレスの始点から停止までの時間の間に記憶再生部２１に記憶された動画像情報１Ａを順次再生し場面識別情報５Ａに対応した結果プレイ動画像情報２Ａを出力する。すなわち、図５のＳ０３である。
図６はプレイ開始タイミング信号４Ａと結果プレイ終了タイミング信号４Ｂと動画像情報１Ａと結果プレイ動画像情報２Ａの時間的な関係を示す説明図である。【００５０】第１の記憶手段７は、場面識別情報５Ａすなわち、「横浜−巨人、７月８日１８：００、チャンス場面有、巨０５、スコア０−１、得点１点、１塁打」と対応させて結果プレイ動画像情報２Ａを記憶する。場面識別情報５Ａに対応したプレイ動作の結果プレイ終了タイミング信号４Ｂを発生するたびに、動画像抽出手段２は場面識別情報５Ａに対応した結果プレイ動画像情報２Ａを抽出出力し、第１の記憶手段７は、場面識別情報５Ａと対応させて結果プレイ動画像情報２Ａを記憶する。すなわち、図５のＳ０４である。【００５１】これが全打席が終了するまで繰り返し実行され、全打席の場面識別情報５Ａと対応する結果プレイ動画像情報２Ａを記憶する。ここで、場面識別情報５Ａと対応する結果プレイ動画像情報２Ａは、時間的に先に発生した順に１番目の場面識別情報５Ａ１と対応する結果プレイ動画像情報２Ａ１、２番目の場面識別情報５Ａ２と対応する結果プレイ動画像情報２Ａ２、そして、ｉ番目の場面識別情報５Ａｉと対応する結果プレイ動画像情報２Ａｉのように記憶されている。また、ここで、全打席は両チームで合わせて７０とすれば、７０個の場面識別情報５Ａ１〜７０に対応する結果プレイ動画像情報２Ａ１〜７０が記憶される。尚、チャンス場面は走者が２塁または３塁に存在するときをいう。また、得点場面とは、結果得点が１点以上であるときをいう。【００５２】次に、試合開始後、あるいは、試合終了後に、端末装置２００のユーザは操作入力部２００４を操作し動画像取得要求ＵＲＬアドレス２００Ｃを「ｈｔｔｐ：／／ｗｗｗ．ｓｐｏｒｔｄａｔａ．ｃｏｍ／Ｘ／ｃｈａｎｃｅｔｏｋｕｔｅｎ」を選択入力すると、端末装置２００のインターネット送信部２００２はインターネット通信網３００を介して情報生成伝達装置１００へ端末識別子２００Ａと動画像取得要求ＵＲＬアドレス２００Ｃ「ｈｔｔｐ：／／ｗｗｗ．ｓｐｏｒｔｄａｔａ．ｃｏｍ／Ｘ／ｃｈａｎｃｅｔｏｋｕｔｅｎ」を送信する。受信手段１１は端末識別子２００Ａと動画像取得要求ＵＲＬアドレス２００Ｃを受けると端末識別子２００Ａと動画像取得要求ＵＲＬアドレス２００Ｃ「ｈｔｔｐ：／／ｗｗｗ．ｓｐｏｒｔｄａｔａ．ｃｏｍ／Ｘ／ｃｈａｎｃｅｔｏｋｕｔｅｎ」を含む動画像取得要求情報１１Ａを出力する。すなわち、図５のＳ０５である。【００５３】次に、情報生成手段８は、動画像取得要求情報１１Ａを受け、動画像取得要求情報１１Ａに含まれる動画像取得要求ＵＲＬアドレス２００Ｃに対応する要求場面識別情報２００Ｒを第１の記憶手段７より読み出す（Ｓ１１）。すなわち、図５のＳ０６である。また、情報生成手段８の作動の流れ図を図７に示す。（）内の表示は図７の作動ステップの番号を示す。また、ここでは、要求場面識別情報２００Ｒは「巨人対横浜、７月８日１８：００、チャンス場面あるいは得点場面」である。【００５４】次に、情報生成手段８は端末識別子２００Ａの要求場面識別情報２００Ｒに対応する場面識別情報５Ａの結果プレイ動画像情報２Ａを読み出し動画像送信情報８Ａを生成する。ここで、場面識別情報５Ａと対応する結果プレイ動画像情報２Ａは、時間的に先に発生した順に１番目の場面識別情報５Ａ１と対応する結果プレイ動画像情報２Ａ１、２番目の場面識別情報５Ａ２と対応する結果プレイ動画像情報２Ａ２、そして、ｉ番目の場面識別情報５Ａｉと対応する結果プレイ動画像情報２Ａｉのように記憶されているから。場面識別情報５Ａｉのｉ＝１（Ｓ１２）から順に場面識別情報５Ａｉを読み出し（Ｓ１３）要求場面識別情報２００Ｒと対応するかをチェックし（Ｓ１４）対応するとき場面識別情報５Ａｉに対応する結果プレイ動画像情報２Ａｉを読み出し動画像送信情報８Ａとして生成出力する（Ｓ１５）。これをｉ＝２、３、・・とｉを１ずつアップし、場面識別情報５Ａｉが存在するかをチェックし（Ｓ１７）存在すれば、再度場面識別情報５Ａｉを読み出し、場面識別情報５Ａｉを読み出し（Ｓ１３）要求場面識別情報２００Ｒと対応するかをチェックし（Ｓ１４）対応するとき場面識別情報５Ａｉに対応する結果プレイ動画像情報２Ａｉを読み出し動画像送信情報８Ａとして生成出力する（Ｓ１５）。場面識別情報５Ａｉが存在するかぎり同様の作動が繰り返され、ここでは、ｉ＝７１になると、この場合ではｉ＝７１になると場面識別情報５Ａｉは存在せず（Ｓ１７）作動は終了する（エンド）。すなわち、場面識別情報５Ａが「チャンス場面有」の情報をもつか、あるいは、得点場面として「得点１点」以上の情報をもつときに、要求場面識別情報２００Ｒに対応し、対応する場面識別情報５Ａの結果プレイ動画像情報２Ａを順次読み出し動画像送信情報８Ａを生成出力する。すなわち、図５のＳ０７である。【００５５】このようにして、場面識別情報５Ａが「横浜−巨人、７月８日１８：００」をもち、かつ、「チャンス場面あるいは得点場面」に対応する動画像送信情報８Ａを生成する。すなわち、図５のＳ０７である。【００５６】次に、送信手段１２は情報生成手段８より動画像送信情報８Ａと端末識別子２００Ａを受け端末識別子２００Ａの端末装置２００へ前記動画像送信情報８Ａを送信する。すなわち、図５のＳ０８である。【００５７】端末装置２００はインターネット受信部２００１で端末装置２００へ動画像送信情報８Ａを受信し、ＵＰＵ部２００３は動画像送信情報８Ａを表示部２００５で表示するに適するように変換出力し、表示部２００５は動画像送信情報８Ａを表示する。ユーザは、動画像取得要求ＵＲＬアドレス２００Ｃに対応する要求場面識別情報２００Ｒに対応する動画像送信情報８Ａを見ることができる。【００５８】次に、端末装置２００のユーザは操作入力部２００４を操作し、端末装置２００は端末識別子２００Ａと動画像取得要求ＵＲＬアドレス２００Ｃ「ｈｔｔｐ：／／ｗｗｗ．ｓｐｏｒｔｄａｔａ．ｃｏｍ／Ｘ／ｚｅｎｄａｓｅｋｉ」を出力すると、同様にして、受信手段１１は端末識別子２００Ａと動画像取得要求ＵＲＬアドレス２００Ｃを受け、端末識別子２００Ａと動画像取得要求ＵＲＬアドレス２００Ｃ「ｈｔｔｐ：／／ｗｗｗ．ｓｐｏｒｔｄａｔａ．ｃｏｍ／Ｘ／ｚｅｎｄａｓｅｋｉ」を含む動画像取得要求情報１１Ａを出力する。【００５９】情報生成手段８は、動画像取得要求情報１１Ａを受け、動画像取得要求情報１１Ａに含まれる動画像取得要求ＵＲＬアドレス２００Ｃに対応する要求場面識別情報２００Ｒを第１の記憶手段７より読み出す。【００６０】次に、情報生成手段８は端末識別子２００Ａの要求場面識別情報２００Ｒに対応する場面識別情報５Ａの結果プレイ動画像情報２Ａを読み出し動画像送信情報８Ａを生成する。ここでは、要求場面識別情報２００Ｒは「巨人対横浜、７月８日１８：００、全打席場面」である。従って、試合識別子「横浜−巨人、７月８日１８：００」かつ「全打席場面」を満たす、すなわち、試合識別子「横浜−巨人、７月８日１８：００」を満たせば全ての場面識別情報５Ａが対応するから「横浜−巨人、７月８日１８：００」を満たす全ての場面識別情報５Ａの結果プレイ動画像情報２Ａを読み出し動画像送信情報８Ａを生成し端末識別子２００Ａと動画像送信情報８Ａを出力する。ユーザは、要求場面識別情報２００Ｒに対応する動画像送信情報８Ａ、すなわち、「横浜−巨人、７月８日１８：００」の試合の全打席場面の結果プレイ動画像情報２Ａを見ることができる。【００６１】次に、端末装置２００のユーザは操作入力部２００４を操作し、端末装置２００は端末識別子２００Ａと動画像取得要求ＵＲＬアドレス２００Ｃ「ｈｔｔｐ：／／ｗｗｗ．ｓｐｏｒｔｄａｔａ．ｃｏｍ／Ｘ／ＮＯＧ０５」を出力すると、【００６２】同様にして、受信手段１１は端末識別子２００Ａと動画像取得要求ＵＲＬアドレス２００Ｃを受けると端末識別子２００Ａと動画像取得要求ＵＲＬアドレス２００Ｃ「ｈｔｔｐ：／／ｗｗｗ．ｓｐｏｒｔｄａｔａ．ｃｏｍ／Ｘ／ＮＯＧ０５」を含む動画像取得要求情報１１Ａを出力する。【００６３】情報生成手段８は、動画像取得要求情報１１Ａを受け、動画像取得要求情報１１Ａに含まれる動画像取得要求ＵＲＬアドレス２００Ｃに対応する要求場面識別情報２００Ｒを第１の記憶手段７より読み出す。【００６４】次に、情報生成手段８は端末識別子２００Ａの要求場面識別情報２００Ｒに対応する場面識別情報５Ａの結果プレイ動画像情報２Ａを読み出し動画像送信情報８Ａを生成する。ここでは、要求場面識別情報２００Ｒは「横浜−巨人、７月８日１８：００、巨０５」であるから、場面識別情報５Ａに含まれる試合識別子が「横浜−巨人、７月８日１８：００」で、かつ、選手識別子が「巨０５」であるものが対応し、この条件を満たす場面識別情報５Ａに対応する結果プレイ動画像情報２Ａを読み出し動画像送信情報８Ａを生成し端末識別子２００Ａと動画像送信情報８Ａを出力する。【００６５】ユーザは、要求場面識別情報２００Ｒに対応する動画像送信情報８Ａ、すなわち、巨人の背番号０５という特定選手の打席場面である結果プレイ動画像情報２Ａを見ることができる。とくに大リーグなどにおいては、日本選手の活躍を見たいとの要望が大きく、松井とかイチローの最新試合の打席結果を見ることができる。【００６６】また、試合「横浜−巨人、７月８日１８：００」の試合途中に動画像取得要求ＵＲＬアドレス２００Ｃを発生すれば、同様にして、情報生成手段８は、端末識別子２００Ａの動画像取得要求情報１１Ａに対応する要求場面識別情報２００Ｒに対応する場面識別情報５Ａの結果プレイ動画像情報２Ａを読み出し動画像送信情報８Ａを生成するから、ユーザは端末装置２００で試合開始から最新までの試合過程における要求場面識別情報２００Ｒに対応する場面識別情報５Ａの結果プレイ動画像情報２Ａを見ることができる。【００６７】尚、ここで、第１の実施例では、巨人対横浜としたが、どのようなチームの組み合わせでも可能であることはいうまでもない。【００６８】尚、第１の実施例では、「チャンス場面」や「得点場面」チームの区別をしていないが、「巨人（後攻チーム）のチャンス場面」、「巨人（後攻チーム）の得点場面」と区別し場面識別情報５Ａに含ませることも可能であるのはいうまでもない。
【その他の実施例の１】
【００６９】第１の実施例では、情報生成手段８は、動画像取得要求情報１１Ａを受け、動画像取得要求情報１１Ａに含まれる動画像取得要求ＵＲＬアドレス２００Ｃに対応する要求場面識別情報２００Ｒを第１の記憶手段７より読み出しているが、動画像取得要求ＵＲＬアドレス２００Ｃのなかに要求場面識別情報２００Ｒを含ませておけば、動画像取得要求ＵＲＬアドレス２００Ｃに対応する要求場面識別情報２００Ｒの記憶や読み出しは不要であることはいうまでもない。すなわち、このときは、場面識別情報５Ａと対応する結果プレイ動画像情報２Ａの記憶から動画像取得要求ＵＲＬアドレス２００Ｃの情報取得要求に対応する場面識別情報５Ａの結果プレイ動画像情報２Ａを読み出し動画像送信情報８Ａを生成することになる。このようにしても第１の実施例と同様に要約した動画像情報を伝達できるのはいうまでもない。
【その他の実施例の２】
【００７０】また、複数の試合（ここで、ｋは試合の番号とし、ｋ＝１〜Ｎとする）に対応して、スポーツ動画像発生手段１、場面識別情報発生手段５、抽出タイミング信号発生手段４、動画像抽出手段２をそれぞれ複数備え、それぞれの発生される複数の場面識別情報５Ａｋと対応し複数の結果プレイ動画像情報２Ａｋを記憶、すなわち、第１の試合（ｋ＝１）の場面識別情報５Ａ１と対応し第１の試合の結果プレイ動画像情報２Ａ１を、第２の試合（ｋ＝２）の場面識別情報５Ａ２と対応し第２の試合の結果プレイ動画像情報２Ａ２を、そして、第Ｎの試合（ｋ＝Ｎ）の場面識別情報５ＡＮと対応し第Ｎの試合の結果プレイ動画像情報２ＡＮを記憶し、かつ、複数の試合に対して、それぞれ試合ごとに異なる動画像取得要求ＵＲＬアドレス２００Ｃおよび動画像取得要求ＵＲＬアドレス２００Ｃと対応する要求場面識別情報２００Ｒを設定しておけば、複数の試合に対する動画像取得要求ＵＲＬアドレス２００Ｃに対応する要求場面識別情報２００Ｒに対応する場面識別情報５Ａｋの結果プレイ動画像情報２Ａｋを読み出し動画像送信情報８Ａを生成し、送信できることはいうまでもない。
【その他の実施例の３】
【００７１】また、スポーツ動画像発生手段１は第１の実施例では、テレビ画像検出表示装置としたがそうではなく、テレビ受像機としても良い。この場合は、スポーツ画像を放送する放送電波が発信あるいはケーブルテレビやインターネットで配信されることが前提になるが、テレビ受信機でもテレビ放送あるいはケーブルテレビ配信やインターネット配信を受信しスポーツの動画像情報１Ａを発生させ、動画像表示１Ｂを出力できるとはいうまでもない。同様にして、スポーツ動画像発生手段１は、テレビ画像記録再生装置でも、スポーツの動画像情報がテレビ画像記録再生装置に記録されていることが前提になるが、スポーツの動画像情報１Ａを発生させ、動画像表示１Ｂを出力できることはいうまでもない。
【その他の実施例の４】
【００７２】また、第１の実施例では、場面識別情報５Ａと対応して結果プレイ動画像情報２Ａを記憶しているが、そうではなく、結果プレイ動画像情報２Ａの抽出の段階で要約し、結果プレイ動画像情報２Ａのみを記憶することもできる。すなわち、結果プレイ動画像情報２Ａを抽出するステップで、限定した場面で、例えば、結果得点場面に対応するときに、抽出タイミング信号発生手段４から結果プレイ終了タイミング信号４Ｂを発生させ、前記スポーツの動画像情報１Ａから所定の結果プレイを表現する結果プレイ動画像情報２Ａを抽出するようにし、前記結果プレイ動画像情報２Ａを順次記憶し、端末装置２００から端末識別子２００Ａと動画像取得要求ＵＲＬアドレス２００Ｃの情報取得要求を受信し、情報取得要求を受け記憶した結果プレイ動画像情報２Ａを順次読み出し動画像送信情報８Ａを生成し、前記端末識別子２００Ａの端末装置２００へ前記動画像送信情報８Ａを送信してもよい。ここで、抽出タイミング信号発生手段４からのプレイ開始タイミング信号４Ａは、第１の実施例と同様、投手が打席打者へ投球の都度発生される。この場合は、結果プレイ動画像情報２Ａの抽出の段階で要約するときの例である。要約の種類は例えば「結果得点の場面」の一種類であるが要約の動画像情報を伝達することができるのはいうまでもない。尚ここでは、「結果得点の場面」としたが、場面として「チャンス場面あるいは得点場面あるいはスーパープレイ場面」としてもよいのはいうまでもない。
【その他の実施例の５】
【００７３】また、第１の実施例では、スポーツとして野球を例としたが、人が見て、プレイ動作のプレイ開始タイミングや、プレイ動作の結果が判明する結果プレイ終了タイミングが判断でき、かつ、チャンス場面あるいは結果得点場面あるいは選手識別子を場面識別情報５Ａとできるスポーツであれば全てのスポーツに適用ができるのはいうまでもない。例えば、サッカーのときでは、攻撃チーム選手の足元のボールと守備チームゴールラインとの距離が所定量以下、例えば２５メートル以下、の状態になった時点、あるいは、所定量以下の位置からの攻撃側フリーキックまたはコーナーキックを開始する時点を開始タイミングとし、ボールと守備チームゴールラインとの距離が所定量以上、例えば、４０メートル以上になっ時点、あるいは、ボールが守備チームゴールラインを超えた（ここで、ゴールのときもゴールラインを超えるのはいうまでもない）時点を結果プレイ終了タイミングとする。そして、場面識別情報５Ａは「チャンス場面の有無」を設定し、かつ、ゴールしたときのみ「結果得点１点」とし設定し、場面識別情報５Ａと対応して、結果プレイ動画像情報２Ａを抽出記憶する。そして、要求場面識別情報２００Ｒに、「チャンス場面あるいは得点場面」を準備しておけば、第１の実施例と同様に、チャンス場面と得点場面の動画像送信情報のみを見ることができる。また、場面識別情報５Ａとして、結果的にすばらしいプレイである結果スーパープレイ場面を含むこともできることはいうまでもない。このようにすれば、結果スーパープレイ場面の動画像送信情報のみをあるいは他に加えて見ることができることはいうまでもない。
【その他の実施例の６】
【００７４】また、場面識別情報５Ａに、試合識別子として、対戦チームと試合年月日時を含ませることによって、１年以上過去の試合であっても、試合識別子およびその他の場面識別情報としてチャンス場面の有無、あるいは、結果得点の有無、あるいは、結果ヒット有無、あるいは、打席の選手識別子を含ませ、動画像取得要求ＵＲＬアドレス２００Ｃに対応する要求場面識別情報２００Ｒとして、試合識別子とチャンス場面の有無、あるいは、結果得点の有無、あるいは、結果ヒット有無、あるいは、打席の選手識別子を記憶すれば、過去の所望の試合の所望の場面に対応する要約した動画像送信情報８Ａを取得できることは言うまでもない。
【その他の実施例の７】
【００７５】その他の実施例の７を第２の実施例と呼称する。第２の実施例は、図８、図９を用いて説明する。図８は、第２の実施例の情報生成伝達装置１００の構成図である。図９は第２の実施例の作動順序を示す流れ図である。第２の実施例は、所謂スポーツ映像の著作権の問題について、配慮されたものである。従って、個人別に予めＮＨＫや民間放送会社やケーブルテレビの放送あるいはインターネット通信網での配信など広域に放送あるいは配信される所定の試合のスポーツの動画像情報の取得の予約をしておき、その予約の個人識別のために、端末識別子２００Ａを使用する例として説明する。
【００７６】第２の実施例は、次のような作動ステップで、すなわち、まず、端末識別子２００Ａに対応してスポーツの試合識別子２００Ｙを予約記憶するステップ（Ｓ２１）と、予約記憶された試合識別子２００Ｙのスポーツの動画像情報１Ａを発生するステップ（Ｓ２２）と、スポーツの動画像情報１Ａの場面に対応し場面識別情報５Ａを発生するステップ（Ｓ２３）と、スポーツの動画像情報１Ａから場面識別情報５Ａに対応しかつ場面識別情報５Ａにおける結果プレイを表現する結果プレイ動画像情報２Ａを抽出するステップ（Ｓ２４）と、試合識別子２００Ｙを予約した端末識別子２００Ａを読み出し端末識別子２００Ａと場面識別情報５Ａに対応して結果プレイ動画像情報２Ａを記憶するステップ（Ｓ２５）と、端末装置２００から端末識別子２００Ａと動画像取得要求ＵＲＬアドレス２００Ｃを受信するステップ（Ｓ２６）と、予め記憶された動画像取得要求ＵＲＬアドレス２００Ｃに対応する要求場面識別情報２００Ｒを読み出すステップ（Ｓ２７）と、端末識別子２００Ａと場面識別情報５Ａに対応する結果プレイ動画像情報２Ａの記憶から前記要求場面識別情報２００Ｒに対応する場面識別情報５Ａの結果プレイ動画像情報２Ａを読み出し動画像送信情報８Ａを生成するステップ（Ｓ２８）と、前記端末識別子２００Ａの端末装置２００へ前記動画像送信情報８Ａを送信するステップ（Ｓ２９）を具備している。
【００７７】作動を説明する。まず、端末識別子２００Ａに対応する予約試合識別子２００Ｙを予め第２の記憶手段７７に記憶する。（Ｓ２１）
【００７８】試合識別子２００Ｙの試合が始まると、スポーツ動画像発生手段１はテレビ受信機からなり予約試合識別子２００Ｙのテレビ放送にチャンネルを合わせテレビ放送を受信し動画像情報１Ａと動画像表示１Ｂを出力する。（Ｓ２２）
【００７９】次に、抽出タイミング信号発生手段４と場面識別情報発生手段５は、第１の実施例と同じであり説明を省略する。（Ｓ２３）
【００８０】そして、次に、動画像抽出手段２は、動画像情報１Ａから場面識別情報５Ａに対応し結果プレイ動画像情報２Ａを抽出する。（Ｓ２４）
【００８１】次に、第１の記憶手段７は、第２の記憶手段７７から予約試合識別子２００Ｙを予約した端末識別子２００Ａを読み出し、端末識別子２００Ａと場面識別情報５Ａに対応し結果プレイ動画像情報２Ａを第１の記憶手段７に記憶する。（Ｓ２５）
【００８２】次に、端末装置２００のユーザは操作入力部２００４を操作し、端末装置２００は端末識別子２００Ａと動画像取得要求ＵＲＬアドレス２００Ｃを出力すると、同様にして、受信手段１１は端末識別子２００Ａと動画像取得要求ＵＲＬアドレス２００Ｃを受信し端末識別子２００Ａと動画像取得要求ＵＲＬアドレス２００Ｃを含む動画像取得要求情報１１Ａを出力する。（Ｓ２６）
【００８３】次に、情報生成手段８は動画像取得要求情報１１Ａを受け動画像取得要求ＵＲＬアドレス２００Ｃに対応する要求場面識別情報２００Ｒを第１の記憶手段７より読み出し（Ｓ２７）、端末識別子２００Ａと場面識別情報５Ａに対応し記憶された結果プレイ動画像情報２Ａから要求場面識別情報２００Ｒに対応する場面識別情報５Ａの結果プレイ動画像情報２Ａを第１の記憶手段より読み出し動画像送信情報８Ａを生成し端末識別子２００Ａと動画像送信情報８Ａを出力する（Ｓ２８）
【００８４】次に、送信手段１２は動画像送信情報８Ａを端末識別子２００Ａの端末装置２００へ送信する。（Ｓ２９）
【００８５】このようにして、端末装置２００からインターネット通信網３００を介して、端末識別子２００Ａと動画像取得要求ＵＲＬアドレス２００Ｃを受け、前記端末装置２００へ、端末識別子２００Ａと場面識別情報５Ａに対応する結果プレイ動画像情報２Ａから動画像取得要求ＵＲＬアドレス２００Ｃに対応する要求場面識別情報２００Ｒに対応する動画像送信情報８Ａを伝達している。すなわち、端末識別子２００Ａと対応し予約した試合識別子２００Ｙの要約したスポーツの動画像情報を伝達することができる。
【００８６】尚、Ｓ２５のステップで試合識別子２００Ｙを予約した端末識別子２００Ａを読み出し端末識別子２００Ａと場面識別情報５Ａに対応して結果プレイ動画像情報２Ａを記憶したが、予め記憶した試合識別子２００Ｙに対応する予約した端末識別子２００Ａを読み出すのは、Ｓ２２以降Ｓ２５までであればどこに存在してもよいのはいうまでもない。
【その他の実施例の８】
【００８７】その他の実施例の８を第３の実施例と呼称する。図１０は、第３の実施例の情報生成伝達装置１００の構成図を示す。また、図１１に第３の実施例の作動のステップの流れ図を示す。第１の実施例では、場面識別情報５Ａと対応する結果プレイ動画像情報２Ａの記憶から要求場面識別情報２００Ｒに対応する場面識別情報５Ａの結果プレイ動画像情報２Ａを読み出し動画像送信情報８Ａを生成し、端末装置２００へ送信するが、動画像送信情報８Ａには画像表示として場面識別情報５Ａの表示が含まれずておらず、ユーザが端末装置２００で動画像送信情報８Ａのみ見たときに、動画像情報の状況把握が困難となる。従って、第３の実施例では、これを解決するため、場面識別情報５Ａを画像表示で分かるように文字記号画像表示変換し場面識別画像情報９１Ａを出力する情報表示変換手段９１、および、場面識別画像情報９１Ａと結果プレイ動画像情報２Ａを組合わせ組合わせ結果プレイ動画像情報９２Ａを発生する画像組合わせ手段９２を情報生成伝達装置１００に具備している。
【００８８】第３の実施例は、次の作動ステップ、すなわち、スポーツの動画像情報１Ａを発生するステップ（Ｓ３１）と、前記スポーツの動画像情報１Ａの場面に対応し場面識別情報５Ａを発生するステップ（Ｓ３２）と、前記スポーツの動画像情報１Ａから前記場面識別情報５Ａに対応しかつ前記場面識別情報５Ａにおける結果プレイを表現する結果プレイ動画像情報２Ａを抽出するステップ（Ｓ３３）と、場面識別情報５Ａを画像表示で分かるように文字記号画像表示変換し場面識別画像情報９１Ａを出力するステップ（Ｓ３４）と、場面識別画像情報９１Ａと結果プレイ動画像情報２Ａを組合わせ組合わせ結果プレイ動画像情報９２Ａを発生するステップ（Ｓ３５）と、前記場面識別情報５Ａと対応して前記組合わせ結果プレイ動画像情報９２Ａを記憶するステップ（Ｓ３６）と、端末装置２００から端末識別子２００Ａと動画像取得要求ＵＲＬアドレス２００Ｃを受信するステップ（Ｓ３７）と、予め記憶された動画像取得要求ＵＲＬアドレス２００Ｃに対応する要求場面識別情報２００Ｒを読み出すステップ（Ｓ３８）と、前記場面識別情報５Ａと対応する組合わせ組合わせ結果プレイ動画像情報９２Ａの記憶から前記要求場面識別情報２００Ｒに対応する場面識別情報５Ａの組合わせ結果プレイ動画像情報９２Ａを読み出し動画像送信情報８Ａを生成するステップ（Ｓ３９）と、前記端末識別子２００Ａの端末装置２００へ前記動画像送信情報８Ａを送信するステップ（Ｓ４０）を具備する。
【００８９】作動について説明する。まず、第１の実施例と同様に、スポーツの動画像情報１Ａを発生し（Ｓ３１）スポーツの動画像情報１Ａから場面識別情報５Ａと対応し結果プレイ動画像情報２Ａを抽出する。（Ｓ３２）（Ｓ３３）そして、次に、第３の実施例では、情報表示変換手段９１は場面識別情報５Ａを画像表示で分かるように文字記号画像表示変換し場面識別画像情報９１Ａを出力する（Ｓ３４）。次に、画像組合わせ手段９２は、場面識別画像情報９１Ａと結果プレイ動画像情報２Ａを組合わせた組合わせ結果プレイ動画像情報９２Ａを発生する（Ｓ３５）。次に、第１の記憶手段７は場面識別情報５Ａに対応し組合わせ結果プレイ動画像情報９２Ａを記憶し（Ｓ３６）、受信手段１１は端末装置２００から端末識別子２００Ａと動画像取得要求ＵＲＬアドレス２００Ｃを受信し（Ｓ３７）端末装置２００から端末識別子２００Ａと動画像取得要求ＵＲＬアドレス２００Ｃを含む動画像取得要求情報１１Ａを発生し、情報生成手段８は動画像取得要求情報１１Ａを受け動画像取得要求ＵＲＬアドレス２００Ｃに対応する要求場面識別情報２００Ｒを第１の記憶手段７より読み出し（Ｓ３８）、場面識別情報５Ａに対応し記憶された組合わせ結果プレイ動画像情報９２Ａから要求場面識別情報２００Ｒに対応する場面識別情報５Ａの組合わせ結果プレイ動画像情報９２Ａを読み出し動画像送信情報８Ａを生成し（Ｓ３９）端末識別子２００Ａと動画像送信情報８Ａを出力し、送信手段１２により動画像送信情報８Ａを端末識別子２００Ａの端末装置２００へ送信（Ｓ４０）する。
【００９０】このようにすれば、画像表示として場面識別情報５Ａの表示が動画像送信情報８Ａに含まれるからユーザが端末装置２００で動画像送信情報８Ａのみ見たときに、場面の状況把握が容易となる。尚、このとき、結果スコア、結果得点、結果打席成績等の場面識別情報５Ａに含まれるプレイ結果情報５Ｃも同様に発生でき画像として表示できることはいうまでもない。
【その他の実施例９】
【００９１】第１の実施例では、野球のチャンス場面の認識や得点場面の認識あるいは打席の選手識別子は、現場のスポーツのプレイあるいは動画像表示１Ｂを人が目で見て認識設定したが、そうではなく、動画像情報１Ａを自動画像認識することにより、生成することができる。例えば、図１２に示す表示例説明図ように走者の位置は内野を示す略ひし形の図形の中に走者位置を配置して表示されるからその配置表示例えば、今２塁に走者がいれば２塁ベースが目立つ色で表示するからその色を検出することで自動認識することは可能である。また、得点場面では、図１３に示す表示例説明図のように得点が入ると得点スコアが、表示されるからこれを文字認識し自動認識することは可能である。また、打席選手の背番号や顔と姿の特徴量から選手を自動認識することは可能である。
【００９２】また、プレイ開始タイミングとして、例えば、投手の打者への投球動作の特徴量、例えば、投手は打者への投球動作のとき体は沈み込むことになるから、投手の姿勢足から頭までの全高さの変化を検出し投球前高さより所定比率以上例えば１５％低くなったとき、プレイ開始タイミングとして自動画像認識しプレイ開始タイミング信号を発生することも可能である。
【００９３】また、結果プレイ終了タイミングとして、例えば、打席選手の背番号や顔や姿の特徴量を計測し、前記特徴量を持つ選手のヒット等による走者としての出塁、あるいは、ホームラン等によるホームへの到達、あるいは、打席からの退場、あるいは、一塁に走行後所定時間内での内野からの退場を自動画像認識することで、結果プレイ終了タイミング信号を自動的に発生させることも可能である。
【００９４】尚、プレイ開始タイミングとしては、結果プレイ終了タイミングから所定時間前、例えば３０秒前としてもよいことはいうまでもない。例えば、このとき、動画像情報１Ａをエンドレステープと同じように記録をループ型に順次記録するようにし例えば、６０秒で１周するように常に動画像情報１Ａを記憶しておき、結果プレイ終了タイミング信号発生時に動画像情報１Ａの記録を停止し、結果プレイ終了タイミング信号発生時からさかのぼって３０秒に相当する時間分の時点の記録点を始点として、結果プレイ終了タイミング信号発生時までを記録再生することで可能であるのはいうまでもない、従って、このようにすれば、動画像情報１Ａから自動的にあるいは動画像表示１Ｂあるいは現場のプレイを見てプレイ開始タイミングの発生は不要であるのはいうまでもない。
【その他の実施例１０】
【００９５】また、サッカープレイ動作の結果が判明する結果プレイ終了タイミングを画像認識する方法では、例えば、攻撃側選手と守備側選手をユニホームの色あるいは文字あるいは柄の特徴量で判別し、ボール画像の球体の特徴量からボールを認識しかつゴールラインとの距離を検出し、はじめに攻撃側選手の保持する、すなわち、攻撃側選手の足元に位置するボールが、ピッチ内で、守備側ゴールラインから所定量以下、例えば、２５メートル以下にあって、あるいは、所定量以下、例えば、３５メートル以下の位置からの攻撃側フリーキックまたはコーナーキックがあって、その後、ボールと守備側ゴールラインとの距離が所定量以上、例えば、４０メートル以上になったとき、あるいは、ボールと守備側ゴールラインとの距離がマイナスとなったときこれを結果プレイ終了タイミングと認識するようにしている。ここで、ボールの守備側ゴールラインとの距離がマイナスとは、ボールが守備側ゴールラインを超えたことを意味する。ゴールのときやボールが守備側ゴールラインを超えゴールキックと判定される時もボールの守備側ゴールラインとの距離がマイナスとなるのはいうまでもない。図１４は攻撃側選手の保持するボール、すなわち、攻撃側選手の足元に位置するボールと守備側ゴールラインとの距離の関係を示す説明図である。
【００９６】このようにすることで、サッカーのプレイ動作の結果が判明する結果プレイ終了タイミングを自動的に画像認識できるという大きな効果がある。尚、結果プレイ終了タイミングに対応するプレイ開始タイミングとしては、攻撃側選手のボールと守備側ゴールラインとの距離がピッチ内で所定量以内になった時点、あるいは、攻撃側選手のボールが守備側ゴールラインからピッチ内の所定量以内でのフリーキックやコーナーキックの開始時点とするか、あるいは、結果プレイ終了タイミングからさかのぼって所定時間前、例えば、１５秒前をプレイ開始タイミングとしてもよいことはいうまでもない。
【００９７】また、同じく画像認識により、ゴール得点はボールの位置がゴール範囲内に存在するかどうかを位置計測し自動判定することで自動的に検出が可能である。従って、ゴールによる得点１点の加点あるいは得点場面の設定は自動で検出可能であることはいうまでもない。
【図面の簡単な説明】
【００９８】
【図１】図１は、第１の実施例の情報生成伝達システム１００００の構成図である。
【図２】図２は第１の実施例の情報生成伝達装置１００の構成図である。
【図３】図３は第１の実施例の端末装置２００の構成図である。
【図４】図４は、第１の実施例の操作入力部５１のスイッチの配置を示す説明図である。
【図５】図５は第１の実施例の作動を示す流れ図である。
【図６】図６は第１の実施例のプレイ開始タイミング信号４Ａと結果プレイ終了タイミング信号４Ｂと動画像情報１Ａと結果プレイ動画像情報２Ａの時間的な関係を示す説明図である。
【図７】図７は第１の実施例の情報生成手段８の作動を示す流れ図である。
【図８】図８は、その他の実施例の７である第２の実施例の情報生成伝達装置１００の構成図である。
【図９】図９は、その他の実施例の７である第２の実施例の作動順序を示す流れ図である。
【図１０】図１０は、その他の実施例の８である第３の実施例の情報生成伝達装置１００の構成図である。
【図１１】図１１は、その他の実施例の８である第３の実施例の作動のステップの流れ図である。
【図１２】図１２はその他の実施例９の表示例説明図である。
【図１３】図１３はその他の実施例９の表示例説明図
【図１４】図１４はその他の実施例１０の攻撃側選手の足元に位置するボールと守備側ゴールラインと距離の関係を示す説明図である。
【符号の説明】
【００９９】１００００・・・情報生成伝達システム
１００・・・・・情報生成伝達装置
２００・・・・・端末装置
３００・・・・・インターネット通信網
２００２・・・・インターネット送信部
２００３・・・・ＣＰＵ部
２００４・・・・操作入力部
２００５・・・・表示部
２００６・・・・記憶部
１  ・・・・・・スポーツ動画像発生手段
１０１・・・・・動画像検出部
１０２・・・・・表示部
２  ・・・・・・動画像抽出手段
２１・・・・・・記憶再生部
２２・・・・・・制御部
５  ・・・・・・場面識別情報発生手段
５１・・・・・・操作入力部
５２・・・・・・設定情報発生部
４  ・・・・・・抽出タイミング信号発生手段
４１・・・・・・プレイ開始タイミング発生部
４２・・・・・・結果プレイ終了タイミング発生部
７  ・・・・・・第１の記憶手段
１１・・・・・・受信手段
８・・・・・・・情報生成手段
１２・・・・・・送信手段
９１・・・・・情報表示変換手段
９２・・・・・画像組合わせ手段
【図１】
2007049662.tif 000003
【図２】
2007049662.tif 000004
【図３】
2007049662.tif 000005
【図４】
2007049662.tif 000006
【図５】
2007049662.tif 000007
【図６】
2007049662.tif 000008
【図７】
2007049662.tif 000009
【図８】
2007049662.tif 000010
【図９】
2007049662.tif 000011
【図１０】
2007049662.tif 000012
【図１１】
2007049662.tif 000013
【図１２】
2007049662.tif 000014
【図１３】
2007049662.tif 000015
【図１４】
2007049662.tif 000016